(57)【要約】  広帯域無線接続通信システムにおけるソフトハンドオーバーを遂行するシステム及び方法を開示する。アンカー基地局は、移動端末機がソフトハンドオーバーすべきことを検出した後に、アクティブ非アンカー基地局から移動端末機へ送信されるべき信号が存在する場合に、アクティブ非アンカー基地局のチャンネル割当て情報を含む第１の情報を送信し、アクティブ非アンカー基地局は、移動端末機がソフトハンドオーバーすべきことを検出した後、アンカー基地局から移動端末機へ送信されるべき信号が存在する場合に、アンカー基地局のチャンネル割当て情報を含む第２の情報を送信し、移動端末機は、ソフトハンドオーバーすべきことを検出すると、第１の情報及び第２の情報に対応して、アンカー基地局及びアクティブ非アンカー基地局から信号を受信してソフトハンドオーバーを遂行する。
2008500767.tif 000002
【特許請求の範囲】
【請求項１】
移動端末機と、前記移動端末機に通信サービスを提供するアンカー基地局と、前記アンカー基地局とは異なり、前記移動端末機がソフトハンドオーバーする基地局であるアクティブ非アンカー基地局とを含む広帯域無線接続通信システムにおけるソフトハンドオーバーを遂行する方法であって、
前記移動端末機がソフトハンドオーバーすべきことを検出すると、前記アンカー基地局から前記アクティブ非アンカー基地局のチャンネル割当て情報を含む第１の情報を受信するか、又は、前記アクティブ非アンカー基地局から前記アンカー基地局のチャンネル割当て情報を含む第２の情報を受信するステップと、
前記第１の情報及び前記第２の情報に対応して、前記アンカー基地局及びアクティブ非アンカー基地局から信号を受信するステップと
を具備することを特徴とする方法。
【請求項２】
前記アクティブ非アンカー基地局から前記第１の情報と前記第２の情報との関連関係を示す第３の情報を受信するステップと、
前記第３の情報に対応して、前記アクティブ非アンカー基地局から信号を受信するステップとをさらに具備することを特徴とする請求項１記載の方法。
【請求項３】
前記第１の情報は、
前記アクティブ非アンカー基地局で使用する基準信号を示す基準信号情報と、前記アンカー基地局で使用する接続識別子とを含むことを特徴とする請求項１記載の方法。
【請求項４】
前記第２の情報は、
前記アンカー基地局で使用される基準信号を示す基準信号情報と、前記アンカー基地局で使用される接続識別子とを含むことを特徴とする請求項１記載の方法。
【請求項５】
前記第３の情報は、
前記アンカー基地局で使用される基準信号を示す基準信号情報と、前記アンカー基地局で使用される接続識別子と、前記アクティブ非アンカー基地局で使用される接続識別子とを含むことを特徴とする請求項２記載の方法。
【請求項６】
前記アクティブ非アンカー基地局で使用される接続識別子は、前記アンカー基地局で使用される場合に、前記アンカー基地局で使用される接続識別子にマッピングされることを特徴とする請求項５記載の方法。
【請求項７】
移動端末機と、前記移動端末機に通信サービスを提供するアンカー基地局と、前記アンカー基地局とは異なり、前記移動端末機がソフトハンドオーバーする基地局であるアクティブ非アンカー基地局とを含む広帯域無線接続通信システムにおけるソフトハンドオーバーを遂行する方法であって、
前記移動端末機がソフトハンドオーバーすべきことを検出すると、前記アクティブ非アンカー基地局から前記移動端末機へ送信されるべき信号が存在するか否かを検査するステップと、
前記検査の結果、前記アクティブ非アンカー基地局から前記移動端末機へ送信されるべき信号が存在する場合に、前記アクティブ非アンカー基地局のチャンネル割当て情報を含む情報を送信するステップと
を具備することを特徴とする方法。
【請求項８】
前記情報は、
前記アクティブ非アンカー基地局で使用される基準信号を示す基準信号情報と、前記アンカー基地局で使用される接続識別子とを含むことを特徴とする請求項７記載の方法。
【請求項９】
移動端末機と、前記移動端末機に通信サービスを提供するアンカー基地局と、前記アンカー基地局とは異なり、前記移動端末機がソフトハンドオーバーする基地局であるアクティブ非アンカー基地局とを含む広帯域無線接続通信システムにおけるソフトハンドオーバーを遂行する方法であって、
前記移動端末機がソフトハンドオーバーすべきことを検出すると、前記アンカー基地局から前記移動端末機へ送信されるべき信号が存在するか否かを検査するステップと、
前記検査の結果、前記アンカー基地局から前記移動端末機へ送信されるべき信号が存在する場合に、前記アンカー基地局のチャンネル割当て情報を含む第１の情報を送信するステップと
を具備することを特徴とする方法。
【請求項１０】
前記アクティブ非アンカー基地局から前記移動端末機へ送信されるべき信号が存在する場合に、前記アクティブ非アンカー基地局のチャンネル割当て情報を含む第２の情報と、前記第１の情報と前記第２の情報との関連関係を示す第３の情報とを送信するステップをさらに具備することを特徴とする請求項９記載の方法。
【請求項１１】
前記第１の情報は、
前記アクティブ非アンカー基地局で使用される基準信号を示す基準信号情報と、前記アンカー基地局で使用される接続識別子とを含むことを特徴とする請求項１０記載の方法。
【請求項１２】
前記第２の情報は、
前記アンカー基地局で使用される基準信号を示す基準信号情報と、前記アンカー基地局で使用される接続識別子とを含むことを特徴とする請求項１１記載の方法。
【請求項１３】
前記第３の情報は、
前記アンカー基地局で使用される基準信号を示す基準信号情報と、前記アンカー基地局で使用される接続識別子と、前記アクティブ非アンカー基地局で使用される接続識別子とを含むことを特徴とする請求項１２記載の方法。
【請求項１４】
前記アクティブ非アンカー基地局で使用される接続識別子は、前記アンカー基地局で使用される場合に、前記アンカー基地局で使用される接続識別子にマッピングされることを特徴とする請求項１３記載の方法。
【請求項１５】
移動端末機と、前記移動端末機に通信サービスを提供するアンカー基地局と、前記アンカー基地局とは異なり、前記移動端末機がソフトハンドオーバーする基地局であるアクティブ非アンカー基地局とを含む広帯域無線接続通信システムにおけるソフトハンドオーバーを遂行する方法であって、
前記アンカー基地局は、前記移動端末機がソフトハンドオーバーすべきことを検出した後に、アクティブ非アンカー基地局から前記移動端末機へ送信されるべき信号が存在する場合に、前記アクティブ非アンカー基地局のチャンネル割当て情報を含む第１の情報を送信するステップと、
前記アクティブ非アンカー基地局は、前記移動端末機がソフトハンドオーバーすべきことを検出した後に、前記アンカー基地局から前記移動端末機へ送信されるべき信号が存在する場合に、前記アンカー基地局のチャンネル割当て情報を含む第２の情報を送信するステップと、
前記移動端末機は、前記ソフトハンドオーバーすべきことを検出すると、前記第１の情報及び前記第２の情報に対応して、前記アンカー基地局及び前記アクティブ非アンカー基地局から信号を受信するステップと
を具備することを特徴とする方法。
【請求項１６】
前記アクティブ非アンカー基地局は、前記第１の情報と前記第２の情報との関連関係を示す第３の情報を送信するステップをさらに具備することを特徴とする請求項１５記載の方法。
【請求項１７】
前記第１の情報は、
前記アクティブ非アンカー基地局で使用される基準信号を示す基準信号情報と、前記アンカー基地局で使用される接続識別子とを含むことを特徴とする請求項１６記載の方法。
【請求項１８】
前記第２の情報は、
前記アンカー基地局で使用される基準信号を示す基準信号情報と、前記アンカー基地局で使用される接続識別子とを含むことを特徴とする請求項１７記載の方法。
【請求項１９】
前記第３の情報は、
前記アンカー基地局で使用される基準信号を示す基準信号情報と、前記アンカー基地局で使用される接続識別子と、前記アクティブ非アンカー基地局で使用される接続識別子とを含むことを特徴とする請求項１８記載の方法。
【請求項２０】
前記アクティブ非アンカー基地局で使用される接続識別子は、前記アンカー基地局で使用される場合に、前記アンカー基地局で使用される接続識別子にマッピングされることを特徴とする請求項１９記載の方法。
【請求項２１】
広帯域無線接続通信システムにおけるソフトハンドオーバーを遂行するシステムであって、
移動端末機がソフトハンドオーバーすべきことを検出した後に、アクティブ非アンカー基地局から前記移動端末機へ送信されるべき信号が存在する場合に、前記アクティブ非アンカー基地局のチャンネル割当て情報を含む第１の情報を送信するアンカー基地局と、
前記移動端末機が前記ソフトハンドオーバーすべきことを検出した後、前記アンカー基地局から前記移動端末機へ送信されるべき信号が存在する場合に、前記アンカー基地局のチャンネル割当て情報を含む第２の情報を送信するアクティブ非アンカー基地局と、
前記移動端末機が前記ソフトハンドオーバーすべきことを検出すると、前記第１の情報及び前記第２の情報に対応して、前記アンカー基地局及び前記アクティブ非アンカー基地局から信号を受信する移動端末機とを
具備することを特徴とするシステム。
【請求項２２】
前記アクティブ非アンカー基地局は、前記第１の情報と前記第２の情報との関連関係を示す第３の情報を送信することを特徴とする請求項２１記載のシステム。
【請求項２３】
前記第１の情報は、
前記アクティブ非アンカー基地局で使用される基準信号を示す基準信号情報と、前記アンカー基地局で使用される接続識別子とを含むことを特徴とする請求項２２記載のシステム。
【請求項２４】
前記第２の情報は、
前記アンカー基地局で使用される基準信号を示す基準信号情報と、前記アンカー基地局で使用される接続識別子とを含むことを特徴とする請求項２３記載のシステム。
【請求項２５】
前記第３の情報は、
前記アンカー基地局で使用される基準信号を示す基準信号情報と、前記アンカー基地局で使用される接続識別子と、前記アクティブ非アンカー基地局で使用される接続識別子とを含むことを特徴とする請求項２４記載のシステム。
【請求項２６】
前記アクティブ非アンカー基地局で使用される接続識別子は、前記アンカー基地局で使用される場合に、前記アンカー基地局で使用される接続識別子にマッピングされることを特徴とする請求項２５記載のシステム。
【請求項２７】
移動端末機と、前記移動端末機に通信サービスを提供するアンカー基地局と、前記アンカー基地局とは異なり、前記移動端末機がソフトハンドオーバーする基地局であるアクティブ非アンカー基地局とを含む広帯域無線接続通信システムにおけるソフトハンドオーバーを遂行する方法であって、
ダウンリンクチャンネル状態を考慮して、アクティブ非アンカー基地局のダウンリンクマップ（ＤＬ−ＭＡＰ）メッセージ内に存在し、アンカー基地局から少なくとも１つのバーストが存在することを示す第１のマップ情報を受信するか、又は、前記アンカー基地局のＤＬ−ＭＡＰメッセージ内に存在し、前記アクティブ非アンカー基地局から少なくとも１つのバーストが存在することを示す第２のマップ情報を受信するステップを具備することを特徴とする方法。
【請求項２８】
前記第１のマップ情報は、前記アンカー基地局の基準信号を示す基準信号情報と前記アンカー基地局での接続識別子とを含むことを特徴とする請求項２７記載の方法。
【請求項２９】
前記第２のマップ情報は、前記アクティブ非アンカー基地局の基準信号を示す基準信号情報と、前記アクティブ基地局での接続識別子とを含むことを特徴とする請求項２８記載の方法。
【発明の詳細な説明】
【技術分野】
【０００１】
本発明は、広帯域無線接続（ＢＷＡ；Broadband Wireless Access）通信システムに関し、特に、ソフトハンドオーバーを遂行するシステム及び方法に関する。
【背景技術】
【０００２】
次世代通信システムである第４世代（4th Generation；以下、“４Ｇ”と称する）通信システムにおいて、高速の多様なサービス品質（Quality of Service：以下、“ＱｏＳ”とする）を有するサービスをユーザーに提供するために活発な研究が進んでいる。特に、現在４Ｇ通信システムでは、無線近距離通信ネットワーク（Local Area Network：以下、“ＬＡＮ”とする）システム及び無線都市地域ネットワーク（Metropolitan Area Network：以下、“ＭＡＮ”とする）システムのような広帯域無線接続（Broadband Wireless Access：ＢＷＡ）通信システムに移動性（Mobility）とＱｏＳを保証する形態で高速サービスを支援するための研究が活発になされている。その代表的な通信システムが、ＩＥＥＥ（Institute of Electrical and Electronics Engineers）８０２.１６ａ／ｄ通信システム及びＩＥＥＥ８０２.１６ｅ通信システムである。
【０００３】
ＩＥＥＥ８０２.１６ａ／ｄ通信システム及びＩＥＥＥ８０２.１６ｅ通信システムは、無線ＭＡＮシステムの物理チャンネル（physical channel）に、広帯域送信ネットワークを支援するために直交周波数分割多元（Orthogonal  Frequency Division Multiplexing：以下、“ＯＦＤＭ”とする）方式／直交周波数分割多元接続（Orthogonal Frequency Division Multiplexing Access：以下、“ＯＦＤＭＡ”とする）方式を適用する。ＩＥＥＥ８０２.１６ａ／ｄ通信システムは、現在の加入者端末機（Subscriber Station：以下、“ＳＳ”とする）が固定された状態、すなわち、ＳＳの移動性を全く考慮しない状態及び単一セル構造のみを考慮している。これに対して、ＩＥＥＥ８０２.１６ｅ通信システムは、ＩＥＥＥ８０２.１６ａ通信システムにＳＳの移動性を考慮するシステムである。ここで、移動性を有するＳＳは、“移動端末機（Mobile Station；以下、“ＭＳ”とする）と称する。従って、上記ＩＥＥＥ８０２．１６ｅ通信システムにおいて、上記ＭＳの移動性に従うハンドオーバー（handover）に関する研究が活発に進んでいる。
【０００４】
上記ハンドオーバーとは、サービスの提供を受けているＭＳが基地局（ＢＳ；Base Station）と基地局との間を移動しながらも、円滑なサービスの提供を可能にする動作を意味する。上記ハンドオーバーは、２つの方式、すなわち、ハードハンドオーバー（hard handover）方式とソフトハンドオーバー（soft handover）方式とに大別することができる。下記では、上記ハードハンドオーバー方式及びソフトハンドオーバー方式について説明する。
上記ハードハンドオーバー方式は、サービスの提供を受けているＭＳが基地局間を移動する場合に、現在ＭＳへサービスを提供している基地局、すなわち、サービング（serving）基地局であるアンカー（anchor）基地局と設定されているチャンネルを解除し、ターゲット（target）基地局であるアクティブ非アンカー（active non-anchor）基地局と最短時間内にチャンネルを設定することによって、サービスが持続的に提供されるハンドオーバー方式である。以下、説明の便宜上、上記サービング基地局をアンカー基地局と称し、上記ターゲット基地局をアクティブ非アンカー基地局と称する。しかしながら、上記ハードハンドオーバー方式は、ＭＳがセル境界領域（cell boundary region）に沿って移動する場合のように、チャンネル状態が持続的に劣悪な場合、反復的なチャンネル解除及びチャンネル設定動作を反復するピンポン（ping pong）現象が発生する、という問題点を有する。
【０００５】
上記ソフトハンドオーバー方式は、サービスの提供を受けているＭＳが基地局間を移動する場合に、ＭＳは、アンカー基地局とアクティブ非アンカー基地局のすべてとチャンネルを設定し、上記アンカー基地局及びアクティブ非アンカー基地局から、上記設定されているチャンネルを介して信号を同時に受信して、上記アクティブ非アンカー基地局にまったく移動した後に上記アンカー基地局とのチャンネルを解除することによって、サービスの連続性を提供するハンドオーバー方式である。従って、ＭＳが上記ソフトハンドオーバー方式を通してハンドオーバーを遂行する場合に、ＭＳは、複数の基地局、すなわち、上記アンカー基地局及びアクティブ非アンカー基地局からダウンリンク（downlink）信号を受信し、上記複数の基地局から受信されたダウンリンク信号をコンバイニング（Combining）して、受信された上記ダウンリンク信号の品質を向上させる。
上記信号コンバイニング方式は、ソフトコンバイニング（soft Combining）方式と選択ダイバーシディ方式（selection diversity）とに分類される。
【０００６】
上記ソフトコンバイニング方式は、複数の基地局から受信される信号の各々を復調して、チャンネル復号器（channel decoder）の前段で、上記信号をコンバイニングする方式である。上記選択ダイバーシディ方式は、複数の基地局から受信される信号の各々を復調してチャンネル復号を行った後に、上記チャンネル復号が行われた信号のうち、もっともよい品質を有する信号を選択する方式である。
一方、上記ソフトハンドオーバー方式を使用してハンドオーバー動作を遂行するＭＳは、アンカー基地局と設定されているチャンネル及びアクティブ非アンカー基地局と設定されているチャンネルから送信される信号を同時に受信することによって、ソフトコンバイニング利得（Combining gain）を獲得することができる。上記コンバイニング利得を獲得するために、ＭＳは、上記アンカー基地局及びアクティブ非アンカー基地局と設定されているチャンネルに関する情報、すなわち、チャンネル割当て情報を受信しなければならず、上記チャンネル割当て情報を使用して上記アンカー基地局及びアクティブ非アンカー基地局からの信号を受信する。
【０００７】
しかしながら、一般的な広帯域無線接続システム、例えば、上記ＩＥＥＥ８０２．１６ｅ通信システムにおいて、アンカー基地局がアンカー基地局によって割り当てられたチャンネルに関する情報のみを通知するため、ＭＳがアクティブ非アンカー基地局のチャンネル割当て情報を受信することができず、これによって、ソフトハンドオーバーを遂行することができなかった。
【発明の開示】
【発明が解決しようとする課題】
【０００８】
上記背景に鑑みて、本発明の目的は、広帯域無線接続通信システムにおけるソフトハンドオーバーを遂行するシステム及び方法を提供することにある。
本発明の他の目的は、広帯域無線接続通信システムにおいて、ソフトハンドオーバーを遂行するために使用されたチャンネル割当て情報を提供するシステム及び方法を提供することにある。
本発明のさらなる目的は、広帯域無線接続通信システムにおいて、アンカー基地局が非アンカー基地局のチャンネル割当て情報をＭＳへ通知するシステム及び方法を提供することにある。
本発明のもう１つの目的は、広帯域無線接続通信システムにおいて、非アンカー基地局がアンカー基地局のチャンネル割当て情報をＭＳへ通知するシステム及び方法を提供することにある。
【課題を解決するための手段】
【０００９】
上記のような目的を達成するために、本発明の第１の見地によると、移動端末機と、上記移動端末機に通信サービスを提供するアンカー基地局と、上記アンカー基地局とは異なり、上記移動端末機がソフトハンドオーバーする基地局であるアクティブ非アンカー基地局とを含む広帯域無線接続通信システムにおけるソフトハンドオーバーを遂行する方法は、上記移動端末機がソフトハンドオーバーすべきことを検出すると、上記アンカー基地局から上記アクティブ非アンカー基地局のチャンネル割当て情報を含む第１の情報を受信するか、又は、上記アクティブ非アンカー基地局から上記アンカー基地局のチャンネル割当て情報を含む第２の情報を受信するステップと、上記第１の情報及び前記第２の情報に対応して、上記アンカー基地局及びアクティブ非アンカー基地局から信号を受信するステップとを具備することを特徴とする。
【００１０】
本発明の第２の見地によると、移動端末機と、上記移動端末機に通信サービスを提供するアンカー基地局と、上記アンカー基地局とは異なり、上記移動端末機がソフトハンドオーバーする基地局であるアクティブ非アンカー基地局とを含む広帯域無線接続通信システムにおけるソフトハンドオーバーを遂行する方法は、上記移動端末機がソフトハンドオーバーすべきことを検出すると、上記アクティブ非アンカー基地局から上記移動端末機へ送信されるべき信号が存在するか否かを検査するステップと、上記検査の結果、上記アクティブ非アンカー基地局から上記移動端末機へ送信されるべき信号が存在する場合に、上記アクティブ非アンカー基地局のチャンネル割当て情報を含む情報を送信するステップとを具備することを特徴とする。
【００１１】
本発明の第３の見地によると、移動端末機と、上記移動端末機に通信サービスを提供するアンカー基地局と、上記アンカー基地局とは異なり、上記移動端末機がソフトハンドオーバーする基地局であるアクティブ非アンカー基地局とを含む広帯域無線接続通信システムにおけるソフトハンドオーバーを遂行する方法は、上記移動端末機がソフトハンドオーバーすべきことを検出すると、上記アンカー基地局から上記移動端末機へ送信されるべき信号が存在するか否かを検査するステップと、上記検査の結果、上記アンカー基地局から上記移動端末機へ送信されるべき信号が存在する場合に、上記アンカー基地局のチャンネル割当て情報を含む第１の情報を送信するステップとを具備することを特徴とする。
【００１２】
本発明の第４の見地によると、移動端末機と、上記移動端末機に通信サービスを提供するアンカー基地局と、上記アンカー基地局とは異なり、上記移動端末機がソフトハンドオーバーする基地局であるアクティブ非アンカー基地局とを含む広帯域無線接続通信システムにおけるソフトハンドオーバーを遂行する方法は、上記アンカー基地局は、上記移動端末機がソフトハンドオーバーすべきことを検出した後に、アクティブ非アンカー基地局から上記移動端末機へ送信されるべき信号が存在する場合に、上記アクティブ非アンカー基地局のチャンネル割当て情報を含む第１の情報を送信するステップと、上記アクティブ非アンカー基地局は、上記移動端末機がソフトハンドオーバーすべきことを検出した後に、上記アンカー基地局から上記移動端末機へ送信されるべき信号が存在する場合に、上記アンカー基地局のチャンネル割当て情報を含む第２の情報を送信するステップと、上記移動端末機は、上記ソフトハンドオーバーすべきことを検出すると、上記第１の情報及び上記第２の情報に対応して、上記アンカー基地局及び上記アクティブ非アンカー基地局から信号を受信するステップとを具備することを特徴とする。
【００１３】
本発明の第５の見地によると、広帯域無線接続通信システムにおけるソフトハンドオーバーを遂行するシステムは、移動端末機がソフトハンドオーバーすべきことを検出した後に、アクティブ非アンカー基地局から上記移動端末機へ送信されるべき信号が存在する場合に、上記アクティブ非アンカー基地局のチャンネル割当て情報を含む第１の情報を送信するアンカー基地局と、上記移動端末機が上記ソフトハンドオーバーすべきことを検出した後、上記アンカー基地局から上記移動端末機へ送信されるべき信号が存在する場合に、上記アンカー基地局のチャンネル割当て情報を含む第２の情報を送信するアクティブ非アンカー基地局と、上記移動端末機が上記ソフトハンドオーバーすべきことを検出すると、上記第１の情報及び上記第２の情報に対応して、上記アンカー基地局及び上記アクティブ非アンカー基地局から信号を受信する移動端末機とを具備することを特徴とする。
【００１４】
本発明の第６の見地によると、移動端末機と、上記移動端末機に通信サービスを提供するアンカー基地局と、上記アンカー基地局とは異なり、上記移動端末機がソフトハンドオーバーする基地局であるアクティブ非アンカー基地局とを含む広帯域無線接続通信システムにおけるソフトハンドオーバーを遂行する方法は、ダウンリンクチャンネル状態を考慮して、アクティブ非アンカー基地局のダウンリンクマップ（ＤＬ−ＭＡＰ）メッセージ内に存在し、アンカー基地局から少なくとも１つのバーストが存在することを示す第１のマップ情報を受信するか、又は、上記アンカー基地局のＤＬ−ＭＡＰメッセージ内に存在し、上記アクティブ非アンカー基地局から少なくとも１つのバーストが存在することを示す第２のマップ情報を受信するステップを具備することを特徴とする。
【発明の効果】
【００１５】
本発明の実施形態によると、ＩＥＥＥ８０２．１６ｅ基盤通信システムにおいて、新たなＭＡＰ ＩＥを実現してＭＳのソフトハンドオーバーを可能にする、という長所を有する。結果的に、上記ＭＳのソフトハンドオーバーによって上記ＭＳの品質を向上させ、また、ハードハンドオーバーの際に発生するピンポン現象を除去することによって、全体システムの性能を向上させることができる、という長所を有する。
【発明を実施するための最良の形態】
【００１６】
以下、本発明の好適な実施形態について添付図を参照しつつ詳細に説明する。なお、図面中、同一な構成要素及び部分には、可能な限り同一な符号及び番号を共通使用するものとする。下記説明において、本発明の要旨のみを明瞭するために公知の機能又は構成に対する詳細な説明は省略する。
本発明は、広帯域無線接続（ＢＷＡ；Broadband Wireless Access）通信システム、例えば、ＩＥＥＥ（Institute of Electrical and Electronics Engineers）８０２．１６ｅ基盤通信システムにおいて、ソフトハンドオーバー（soft handover）を遂行するシステム及び方法を提案する。特に、本発明は、ＩＥＥＥ８０２．１６ｅ基盤通信システムにおいて、ソフトハンドオーバーを遂行するために、サービング（serving）基地局であるアンカー（anchor）基地局（ＢＳ；Base Station）及びターゲット（target）基地局であるアクティブ非アンカー（active non−anchor）基地局でチャンネル割当て情報を提供するシステム及び方法を提案する。以下、上記サービング基地局をアンカー基地局と称し、上記ターゲット基地局をアクティブ非アンカー基地局と称する。本発明では、説明の便宜上、上記ＩＥＥＥ８０２．１６ｅ基盤通信システムを一例に挙げて説明するとしても、本発明で提案する方案は、上記ＩＥＥＥ８０２．１６ｅ基盤通信システムだけでなく、他の通信システムにも適用されることができることはもちろんである。
【００１７】
図１は、本発明の実施形態によるＩＥＥＥ８０２．１６ｅ基盤通信システムの構成を概略的に示すブロック図である。
図１を参照すると、上記ＩＥＥＥ８０２．１６ｅ通信基盤システムは、多重セル構造を有し、すなわち、セル１００及びセル１５０を有し、セル１００を管理する基地局１１０と、セル１５０を管理する基地局１４０と、複数のＭＳ１１１，１１３，１３０，１５１，１５３とを含む。ここで、１つの基地局が複数のセルを管理することができるとしても、本発明の実施形態では、説明の便宜上、１つの基地局が１つのセルのみを管理すると仮定する。また、基地局１１０及び１４０とＭＳ１１１，１１３，１３０，１５１，１５３との間の信号送受信は、上記ＯＦＤＭ／ＯＦＤＭＡ方式を使用してなされる。ここで、基地局１１０及び１４０がマルチセクタ（multi-sector）構造を有すると仮定し、同一のセル内のセクターは、同一の中心周波数（center-frequency）を使用し、隣接したセクターは、相互に異なるサブチャンネル（sub-channel）を使用する。
図１では、本発明の実施形態によるＩＥＥＥ８０２．１６ｅ基盤通信システムの構成について説明した。次いで、図２を参照して、本発明の実施形態によるＩＥＥＥ８０２．１６ｅ基盤通信システムにおけるセクター構成について説明する。
【００１８】
図２は、本発明の実施形態によるＩＥＥＥ８０２．１６ｅ通信システムにおけるセクター構成を概略的に示すブロック図である。
図２を参照すると、基地局２００によって管理されるセルは、複数、例えば、３つのセクター、すなわち、第１のセクター２１０と、第２のセクター２２０と、第３のセクター２３０とに分割され、第１のセクター２１０乃至第３のセクター２３０の各々は、同一の中心周波数Ｆ１を使用し、相互に異なるサブチャンネルを使用する。すなわち、第１のセクター２１０乃至第３のセクター２３０の各々は、図２に示すように、相互に異なるサブチャンネルセット（set）を使用する。第１のセクター２１０は、第１のサブチャンネルセットを使用し、第２のセクター２２０は、第２のサブチャンネルセットを使用し、第３のセクター２３０は、第３のサブチャンネルセットを使用する。
図２では、本発明の実施形態によるＩＥＥＥ８０２．１６ｅ基盤通信システムにおけるセクター構成について説明した。次いで、図３を参照して、本発明の実施形態によるＩＥＥＥ８０２．１６ｅ基盤通信システムのフレーム構成について説明する。
【００１９】
図３は、本発明の実施形態によるＩＥＥＥ８０２．１６ｅ基盤通信システムのフレーム構成を概略的に示すブロック図である。
図３を参照すると、上記ＩＥＥＥ８０２．１６ｅ基盤通信システムでのフレーム構成は、ダウンリンク（downlink；以下、‘ＤＬ'と称する）フレーム３１０及びアップリンク（以下、‘ＵＬ'と称する）フレーム３２０を含む。ＤＬフレーム３１０は、プリアンブル（preamble）領域３１２と、ダウンリンクマップ（以下、‘ＤＬ−ＭＡＰ’と称する）／アップリンクマップ（以下、‘ＵＬ−ＭＡＰ’と称する）領域３１４と、部分サブチャンネル使用（Partial usage of sub-channels；以下、‘ＰＵＳＣ'と称する）領域３１６と、全体サブチャンネル使用（Full usage of sub-channels；以下、‘ＦＵＳＣ'と称する）領域３１８とを含む。ＵＬフレーム３２０は、ＰＵＳＣ領域３２２を含む。
【００２０】
プリアンブル領域３１２は、基地局とＭＳとの間の同期獲得のためのプリアンブルシーケンス（preamble sequence）を送信するのに使用される領域である。ＤＬ−ＭＡＰ／ＵＬ−ＭＡＰ領域３１４は、ＤＬ−ＭＡＰメッセージ及びＵＬ−ＭＡＰメッセージを送信するのに使用される領域である。基地局は、チャンネル区間の以前に、ＭＳの各々に割り当てられたチャンネル区間を示すＭＡＰメッセージを送信し、ＭＳの各々は、上記ＭＡＰメッセージに含まれている情報を検出して、自身に割り当てられたチャンネル区間及びコーディング方式を認識する。上記ＤＬ−ＭＡＰメッセージ及び上記ＵＬ−ＭＡＰメッセージについては、下記で具体的に説明する。ＰＵＳＣ領域３１６は、ＰＵＳＣ方式を使用してＤＬデータバースト（data burst）を送信するのに使用される領域であり、ＦＵＳＣ領域３１８は、ＦＵＳＣ方式を使用してＤＬデータバーストを送信するのに使用される領域である。また、ＰＵＳＣ領域３２２は、ＰＵＳＣ方式を使用してＵＬデータバーストを送信するのに使用される領域である。
【００２１】
図４は、本発明の実施形態によるＤＬ−ＭＡＰメッセージのフォーマットを概略的に示す。
図４を参照すると、上記ＤＬ＿ＭＡＰメッセージは、複数の情報エレメント（Information Element；以下、‘ＩＥ'と称する）、すなわち、送信されるメッセージのタイプを示す‘マネージメントメッセージタイプ（Management Message Type）’と、同期を獲得するために物理チャンネル（Physical channel）に適用される変調方式又は復調方式に従って設定される‘ＰＨＹ（Physical）同期（Synchronization）’と、ダウンリンクバーストプロフィール（burst profile）を含んでいるダウンリンクチャンネルディスクリプタ（Downlink Channel Descriptor；以下、‘ＤＣＤ'と称する）メッセージの構成（configuration）変化に相応するカウント（count）値を示す‘ＤＣＤ ｃｏｕｎｔ’と、基地局識別子（Base Station Identifier）を示す‘Ｂａｓｅ Ｓｔａｔｉｏｎ ＩＤ’と、ｎ個のＤＬ−ＭＡＰ ＩＥとを含む。特に、図４には別途に図示していないが、上記ＤＬ−ＭＡＰメッセージは、下記で説明するレンジング（ranging）の各々に割り当てられるレンジングコード（ranging code）に関する情報を含む。
【００２２】
図５は、本発明の実施形態によるＵＬ−ＭＡＰメッセージのフォーマットを概略的に示す。
図５を参照すると、上記ＵＬ＿ＭＡＰメッセージは、複数のＩＥ、すなわち、送信されるメッセージのタイプを示す‘マネージメントメッセージタイプ（Management Message Type）’と、使用されるアップリンクチャンネル識別子（Uplink Channel ID）を示す‘Ｕｐｌｉｎｋ Ｃｈａｎｎｅｌ ＩＤ’と、アップリンクバーストプロフィールを含んでいるアップリンクチャンネルディスクリプト（Uplink Channel Descript；以下、‘ＵＣＤ'と称する）メッセージの構成変化に相応するカウント値を示す‘ＵＣＤ ｃｏｕｎｔ’と、アップリンクリソース割当て開始情報を示す‘Ａｌｌｏｃａｔｉｏｎ Ｓｔａｒｔ Ｔｉｍｅ’と、ｎ個のＵＬ−ＭＡＰ ＩＥとを含む。ここで、上記アップリンクチャンネル識別子は、媒体接続制御（Medium Access Control；以下、‘ＭＡＣ'と称する）サブ階層（sub-layer）で唯一の値として割り当てられる。
【００２３】
一方、図３に示すＤＬフレーム３１０のデータバースト領域は、時分割多重化（Time Division Multiplexing；以下、‘ＴＤＭ'と称する）／時間分割多重接続（Time Division Multiple Access；以下、‘ＴＤＭＡ'と称する）方式に従って割り当てられたタイムスロット（time slot）を含む。基地局は、予め設定されている中心周波数を使用して、上記基地局からサービスを受信しているＭＳに制御情報をＤＬ−ＭＡＰ／ＵＬ−ＭＡＰ領域３１４を介してブロードキャストする。
上記ＭＳの各々がパワーオン（power on）されるに従って、上記ＭＳの各々に予め設定されているすべての周波数帯域をモニタリングすることによって、最大サイズ、例えば、最大キャリア対干渉雑音比（Carrier to Interference and Noise Ratio；以下、‘ＣＩＮＲ’と称する）を有する基準信号（reference signal）を検出する。ここで、上記基準信号は、パイロット（pilot）信号を含むことができる。そして、ＭＳの各々は、上記最大ＣＩＮＲを有する基準信号を送信した基地局を、ＭＳ自身が現在に属している基地局と判断し、上記基地局から送信されるＤＬフレーム３１０のＤＬ−ＭＡＰ／ＵＬ−ＭＡＰ領域３１４を通して送信されるＤＬ−ＭＡＰメッセージ及びＵＬ−ＭＡＰメッセージを分析して、ＭＳ自身のＤＬ及びＵＬを制御する制御情報及び実際のデータバーストを送受信する区間を示すチャンネル割当て情報を認識し、該当データバースト送受信区間でデータバーストを送受信する。
【００２４】
一方、上記ＩＥＥＥ８０２．１６ｅ通信システムにおいて、１つの基地局が１つの中心周波数を使用し、上記基地局内の複数のセクターが上記中心周波数の周波数帯域を上記セクターの個数と同一の個数のサブ帯域（sub-band）に分割して使用する場合、ＭＳは、現在のアンカー基地局から他の基地局、すなわち、アクティブ非アンカー基地局へ移動する場合に、あるいは、同一のアンカー基地局内のサービングセクターであるアンカーセクターから他のセクター、すなわち、ターゲットセクターであるアクティブ非アンカーセクターへ移動する場合に、ハンドオーバーを遂行しなければならない。特に、本発明の実施形態では、上記ＭＳは、ソフトハンドオーバーを遂行しなければならない。上述したようなソフトハンドオーバーを遂行するために、ＭＳは、アンカー基地局（セクター間のハンドオーバーの場合には、アンカーセクター）及びアクティブ非アンカー基地局（セクター間のハンドオーバーの場合には、アクティブ非アンカーセクター）に関連したチャンネル割当て情報を獲得しなければならない。ここで、上記チャンネル割当て情報は、アンカー基地局、又は、アクティブ非アンカー基地局からソフトハンドオーバーを要求する、ＭＳへ送信されるＭＡＰメッセージに含まれる。すなわち、上記ＩＥＥＥ８０２．１６ｅ通信システムのすべての基地局は、自身の隣接基地局のチャンネル割当て情報をＭＡＰメッセージを通じてブロードキャストする。
【００２５】
従来のＩＥＥＥ８０２．１６ｅ通信システムにおいては、アンカー基地局がＭＳから送受信されるデータバーストに関するチャンネル割当て情報を含むＭＡＰ ＩＥをＭＡＰメッセージに挿入して送信し、ＭＳは、上記ＭＡＰ ＩＥに含まれたチャンネル割当て情報に対応して、ＤＬ及びＵＬを介してデータバーストを送受信する。しかしながら、本発明の実施形態では、ＭＳのハンドオーバー領域で、アンカー基地局及びアクティブ非アンカー基地局から同一のデータバーストを同時に送受信できるようにするためには、上記アンカー基地局及びアクティブ非アンカー基地局からチャンネル割当て情報を受信しなければならない。特に、本発明の実施形態では、物理階層で、同一の順列（permutation）と、同一のシンボル（symbol）と、同一のサブチャンネルとを使用するソフトコンバイニング（soft Combining）を考慮することなく、同一のデータバーストを有するアンカー基地局及びアクティブ非アンカー基地局からのデータバーストを各々復号してバッファリング（buffering）することによって、ソフトコンバイニング利得を獲得することができる。
【００２６】
以下、上記ソフトハンドオーバーのために、本発明で新たに提案するＭＡＰ ＩＥについて説明すると、次の通りである。
まず、従来のＩＥＥＥ８０２．１６ｅ通信システムにおいて、ＭＳは、２つ以上の基地局からＭＡＰ ＩＥを同時に受信することが不可能である。従って、本発明の実施形態によるＩＥＥＥ８０２．１６ｅ通信システムにおいては、アンカー基地局及びアクティブ非アンカー基地局の各々は、自身のＭＡＰメッセージに上記ＭＳに対するアンカー基地局及びアクティブ非アンカー基地局のチャンネル割当て情報をすべて含むＭＡＰ ＩＥを挿入する。すると、上記ＭＳは、上記アンカー基地局及びアクティブ非アンカー基地局のうちいずれか１つの基地局からＭＡＰ ＩＥを受信し、上記ＭＡＰ ＩＥから上記アンカー基地局及びアクティブ非アンカー基地局に関するチャンネル情報を獲得して、上記獲得されたチャンネル情報に対応して、上記アンカー基地局及びアクティブ非アンカー基地局とデータバーストを送受信する。以下、本発明で新たに提案するＭＡＰ ＩＥについて具体的に説明する。
【００２７】
（１） ハンドオーバーアンカーアクティブＭＡＰ ＩＥ（以下、‘ＨＯ Ａｎｃｈｏｒ Ａｃｔｉｖｅ ＭＡＰ ＩＥ’と称する）
上記ＨＯ Ａｎｃｈｏｒ Ａｃｔｉｖｅ ＭＡＰ ＩＥは、アクティブ非アンカー基地局から送信されるＭＡＰ ＩＥであり、アンカー基地局のＤＬ及びＵＬのチャンネル割当て情報を含み、アンカー基地局から送信されるデータバーストが存在することを示す。ここで、上記アンカー基地局のＤＬのチャンネル割当て情報を含むＨＯ Ａｎｃｈｏｒ Ａｃｔｉｖｅ ＭＡＰ ＩＥは、ＨＯ Ａｎｃｈｏｒ Ａｃｔｉｖｅ ＤＬ ＭＡＰ ＩＥに該当し、上記アンカー基地局のＵＬのチャンネル割当て情報を含むＨＯ Ａｎｃｈｏｒ Ａｃｔｉｖｅ ＭＡＰ ＩＥは、ＨＯ Ａｎｃｈｏｒ Ａｃｔｉｖｅ ＵＬ ＭＡＰ ＩＥに該当する。
（２） 非アンカー基地局のハンドオーバーＭＡＰ ＩＥ（以下、‘ＨＯ ＭＡＰ ＩＥ ｉｎ Ｎｏｎ−Ａｎｃｈｏｒ ＢＳ’と称する）
上記ＨＯ ＭＡＰ ＩＥ ｉｎ ａｃｔｉｖｅ Ｎｏｎ−Ａｎｃｈｏｒ ＢＳは、アンカー基地局から送信されるＭＡＰ ＩＥであり、上記アクティブ非アンカー基地局のＤＬ及びＵＬのチャンネル割当て情報を含み、アクティブ非アンカー基地局から送信されるデータバーストが存在することを示す。ここで、上記非アンカー基地局のＤＬのチャンネル割当て情報を含む非アンカーＢＳでのＨＯ ＭＡＰ ＩＥは、‘ＨＯ ＤＬ ＭＡＰ ＩＥ ｉｎ ａｃｔｉｖｅ Ｎｏｎ−Ａｎｃｈｏｒ ＢＳに該当し、上記非アンカー基地局のＵＬのチャンネル割当て情報を含む非アンカーＢＳでのＨＯ ＭＡＰ ＩＥは、‘ＨＯ ＵＬ ＭＡＰ ＩＥ ｉｎ ａｃｔｉｖｅ Ｎｏｎ−Ａｎｃｈｏｒ ＢＳに該当する。
（３）ハンドオーバー接続識別子トランスレーションＭＡＰ ＩＥ（‘ＨＯ ＣＩＤ（Connection Identifier）Ｔｒａｎｓｌａｔｉｏｎ ＭＡＰ ＩＥ’と称する）
ＨＯ ＣＩＤ Ｔｒａｎｓｌａｔｉｏｎ ＭＡＰ ＩＥ は、アクティブ非アンカー基地局から送信されるＭＡＰ ＩＥであり、アンカー基地局が割り当てたＭＳのＣＩＤをアクティブ非アンカー基地局が割り当てたＭＳのＣＩＤとマッピングするために送信される。また、上記ＨＯ ＣＩＤ Ｔｒａｎｓｌａｔｉｏｎ ＭＡＰ ＩＥは、上記アクティブ非アンカー基地局から送信されるデータバーストが存在することを示す。
【００２８】
図６は、本発明の実施形態によるＨＯ Ａｎｃｈｏｒ Ａｃｔｉｖｅ ＤＬ ＭＡＰ ＩＥのフォーマットを概略的に示す。
図６を参照すると、上記ＨＯ Ａｎｃｈｏｒ Ａｃｔｉｖｅ ＤＬ ＭＡＰ ＩＥは、複数のＩＥ、すなわち、上記ＨＯ Ａｎｃｈｏｒ Ａｃｔｉｖｅ ＤＬ ＭＡＰ ＩＥを識別するのに使用される‘Ｅｘｔｅｎｄｅｄ ＤＩＵＣ（Downlink Interval Usage Code）’と、上記ＨＯ Ａｎｃｈｏｒ Ａｃｔｉｖｅ ＤＬ ＭＡＰ ＩＥの長さを示す‘Ｌｅｎｇｔｈ’と、各データバーストに対するＩＥとを含む。図６に示すように、上記各データバーストに対するＩＥは、アンカー基地局のプリアンブルを示す‘Ａｎｃｈｏｒ Ｐｒｅａｍｂｌｅ’と、アンカー基地局で該当ＭＳに割り当てられた基本ＣＩＤを示す‘Ａｎｃｈｏｒ ＣＩＤ’と、‘ＤＩＵＣ’と、割り当てられたデータバーストを示すシンボルの開始位置を示す‘ＯＦＤＭＡ ｓｙｍｂｏｌ ｏｆｆｓｅｔ’と、上記割り当てられたデータバーストを示すサブチャンネルの開始位置を示す‘Ｓｕｂｃｈａｎｎｅｌ ｏｆｆｓｅｔ’と、上記割り当てられたデータバーストの副搬送波の送信電力がブースティングされたかどうかを示す‘Ｂｏｏｓｔｉｎｇ’と、上記割り当てられたデータバーストのシンボル個数を示す‘Ｎｏ．ＯＦＤＭＡ ｓｙｍｂｏｌ’と、上記割り当てられたデータバーストのサブチャンネルの個数を示す‘Ｎｏ．Ｓｕｂｃｈａｎｎｅｌｓ’と、上記割り当てられたデータバーストに使用される反復コードを示す‘Ｒｅｐｅｔｉｔｉｏｎ Ｃｏｄｉｎｇ Ｉｎｄｉｃａｔｉｏｎ’とを含む。
【００２９】
図７は、本発明の実施形態によるＨＯ ＤＬ ＭＡＰ ＩＥ ｉｎ Ｎｏｎ−Ａｎｃｈｏｒ ＢＳのフォーマットを概略的に示す。
図７を参照すると、上記ＨＯ ＤＬ ＭＡＰ ＩＥ ｉｎ Ｎｏｎ−Ａｎｃｈｏｒ ＢＳは、複数のＩＥ、すなわち、ＨＯ ＤＬ ＭＡＰ ＩＥ ｉｎ Ｎｏｎ−Ａｎｃｈｏｒ ＢＳを識別するのに使用される‘Ｅｘｔｅｎｄｅｄ ＤＩＵＣ（Downlink Interval Usage Code）’と、上記ＨＯ ＤＬ ＭＡＰ ＩＥ ｉｎ Ｎｏｎ−Ａｎｃｈｏｒ ＢＳの長さを示す‘Ｌｅｎｇｔｈ’と、各データバーストに対するＩＥとを含む。図７に示すように、上記各データバーストに対するＩＥは、アクティブ非アンカー基地局のプリアンブルを示す‘Ｎｏｎ−Ａｎｃｈｏｒ Ｐｒｅａｍｂｌｅ’と、アンカー基地局で該当ＭＳに割り当てられた基本ＣＩＤを示す‘Ａｎｃｈｏｒ ＣＩＤ’と、‘ＤＩＵＣ’と、割り当てられたデータバーストを示すシンボルの開始位置を示す‘ＯＦＤＭＡ ｓｙｍｂｏｌ ｏｆｆｓｅｔ’と、上記割り当てられたデータバーストを示すサブチャンネルの開始位置を示す‘Ｓｕｂｃｈａｎｎｅｌ ｏｆｆｓｅｔ’と、上記割り当てられたデータバーストの副搬送波の送信電力がブースティングされたかどうかを示す‘Ｂｏｏｓｔｉｎｇ’と、上記割り当てられたデータバーストのシンボル個数を示す‘Ｎｏ．ＯＦＤＭＡ ｓｙｍｂｏｌ’と、上記割り当てられたデータバーストのサブチャンネルの個数を示す‘Ｎｏ．Ｓｕｂｃｈａｎｎｅｌｓ’と、上記割り当てられたデータバーストに使用される反復コードを示す‘Ｒｅｐｅｔｉｔｉｏｎ Ｃｏｄｉｎｇ Ｉｎｄｉｃａｔｉｏｎ’とを含む。
【００３０】
図８は、本発明の実施形態によるＨＯ ＣＩＤ Ｔｒａｎｓｌａｔｉｏｎ ＭＡＰ ＩＥのフォーマットを概略的に示す。
図８を参照すると、上記ＨＯ ＣＩＤ Ｔｒａｎｓｌａｔｉｏｎ ＭＡＰ ＩＥは、複数のＩＥ、すなわち、上記ＨＯ ＣＩＤ Ｔｒａｎｓｌａｔｉｏｎ ＭＡＰ ＩＥを識別するのに使用される‘Ｅｘｔｅｎｄｅｄ ＤＩＵＣ’と、上記ＨＯ ＣＩＤ Ｔｒａｎｓｌａｔｉｏｎ ＭＡＰ ＩＥの長さを示す‘Ｌｅｎｇｔｈ’と、各データバーストに対するＩＥとを含む。図８に示すように、上記各データバーストに対するＩＥは、アンカー基地局のプリアンブルを示す‘Ａｎｃｈｏｒ Ｐｒｅａｍｂｌｅ’と、アンカー基地局で該当ＭＳに割り当てられた基本ＣＩＤを示す‘Ａｎｃｈｏｒ ＣＩＤ’と、アクティブ非アンカー基地局のＤＬ及びＵＬで該当ＭＳへ送信されるデータバーストに関するチャンネル割当て情報を示すために臨時に使用される基本ＣＩＤを示す‘Ｎｏｎ−Ａｎｃｈｏｒ ＣＩＤ’とを含む。
【００３１】
すなわち、ソフトハンドオーバーを遂行するＭＳは、アクティブ非アンカー基地局で、上記ＨＯ ＣＩＤ Ｔｒａｎｓｌａｔｉｏｎ ＭＡＰ ＩＥを確認して、アンカー基地局のプリアンブル及び‘Ａｎｃｈｏｒ ＣＩＤ’にマッピングされた‘Ｎｏｎ−Ａｎｃｈｏｒ ＣＩＤ’を認識し、上記ＭＳに割り当てられたＮｏｎ−Ａｎｃｈｏｒ ＣＩＤを使用して、上記アクティブ非アンカー基地局から送信されるデータバーストを受信する。ここで、上記ＨＯ ＣＩＤ Ｔｒａｎｓｌａｔｉｏｎ ＭＡＰ ＩＥに上記Ａｎｃｈｏｒ Ｐｒｅａｍｂｌｅを挿入する理由は、アクティブ非アンカー基地局でソフトハンドオーバーを遂行するＭＳが相互に異なるアンカー基地局を有することができるためである。また、上記アンカー基地局は、同一のＡｎｃｈｏｒ ＣＩＤを有することができる。この場合、上記相互に異なるアンカー基地局に接続されたＭＳを識別するために、上記Ａｎｃｈｏｒ Ｐｒｅａｍｂｌｅが使用されることもできる。また、アクティブ非アンカー基地局のＮｏｎ−Ａｎｃｈｏｒ ＣＩＤがフレームごとに変更可能であるので、ソフトハンドオーバーを遂行するＭＳは、上記アクティブ非アンカー基地局とのデータバーストを送受信するために、フレームごとに上記ＨＯ ＣＩＤ Ｔｒａｎｓｌａｔｉｏｎ ＭＡＰ ＩＥを復号しなければならない。
【００３２】
図９は、本発明の実施形態によるＨＯ Ａｎｃｈｏｒ Ａｃｔｉｖｅ ＵＬ ＭＡＰ ＩＥのフォーマットを概略的に示す。
図９を参照すると、上記ＨＯ Ａｎｃｈｏｒ Ａｃｔｉｖｅ ＵＬ ＭＡＰ ＩＥは、複数のＩＥ、すなわち、上記ＨＯ Ａｎｃｈｏｒ Ａｃｔｉｖｅ ＵＬ ＭＡＰ ＩＥを識別するのに使用される拡張アップリンク区間使用コード（ＵＩＵＣ；Uplink Interval Usage Code）を示す‘Ｅｘｔｅｎｄｅｄ ＵＩＵＣ’と、上記ＨＯ Ａｎｃｈｏｒ Ａｃｔｉｖｅ ＵＬ ＭＡＰ ＩＥの長さを示す‘Ｌｅｎｇｔｈ’と、各データバーストに対するＩＥとを含む。図９に示すように、上記各データバーストに対するＩＥは、アンカー基地局のプリアンブルを示す‘Ａｎｃｈｏｒ Ｐｒｅａｍｂｌｅ’と、アンカー基地局で該当ＭＳに割り当てられた基本ＣＩＤを示す‘Ａｎｃｈｏｒ ＣＩＤ’と、アップリンク区間使用コードを示す‘ＵＩＵＣ’と、割り当てられたデータバーストを示すサブチャンネルの開始位置を示す‘Ｓｔａｒｔ Ｓｕｂｃｈａｎｎｅｌ ｏｆｆｓｅｔ’と、ＯＦＤＭＡスロットでの資源量を示す‘Ｄｕｒａｔｉｏｎ’と、上記割り当てられたデータバーストに使用される反復コードを示す‘Ｒｅｐｅｔｉｔｉｏｎ Ｃｏｄｉｎｇ Ｉｎｄｉｃａｔｉｏｎ’と、を含む。
【００３３】
図１０は、本発明の実施形態によるＨＯ ＵＬ ＭＡＰ ＩＥ ｉｎ Ｎｏｎ−Ａｎｃｈｏｒ ＢＳのフォーマットを概略的に示す。
図１０を参照すると、上記ＨＯ ＵＬ ＭＡＰ ＩＥ ｉｎ Ｎｏｎ−Ａｎｃｈｏｒ ＢＳは、複数のＩＥ、すなわち、上記ＨＯ ＵＬ ＭＡＰ ＩＥ ｉｎ ａｃｔｉｖｅ Ｎｏｎ−Ａｎｃｈｏｒ ＢＳを識別するのに使用される‘Ｅｘｔｅｎｄｅｄ ＵＩＵＣ’と、上記ＨＯ ＵＬ ＭＡＰ ＩＥ ｉｎ Ｎｏｎ−Ａｎｃｈｏｒ ＢＳの長さを示す‘Ｌｅｎｇｔｈ’と、各データバーストに対するＩＥとを含む。図１０に示すように、上記各データバーストに対するＩＥは、アクティブ非アンカー基地局のプリアンブルを示す‘Ｎｏｎ−Ａｎｃｈｏｒ Ｐｒｅａｍｂｌｅ’と、アンカー基地局で該当ＭＳに割り当てられた基本ＣＩＤを示す‘Ａｎｃｈｏｒ ＣＩＤ’と、‘ＵＩＵＣ’と、割り当てられたデータバーストを示すサブチャンネルの開始位置を示す‘Ｓｔａｒｔ Ｓｕｂｃｈａｎｎｅｌ ｏｆｆｓｅｔ’と、ＯＦＤＭＡスロットでの資源量を示す‘Ｄｕｒａｔｉｏｎ’と、上記割り当てられたデータバーストに使用される反復コードを示す‘Ｒｅｐｅｔｉｔｉｏｎ Ｃｏｄｉｎｇ Ｉｎｄｉｃａｔｉｏｎ’とを含む。
【００３４】
図１１は、本発明の実施形態によるアンカー基地局からチャンネル割当て情報を受信して、ソフトハンドオーバーを遂行するＭＳの動作を示すフローチャートである。
図１１を参照すると、まず、ＭＳは、ステップＳ１１１１で、アンカー基地局からプリアンブルシーケンスを検出して上記アンカー基地局と同期を獲得する。ステップＳ１１１３で、ＭＳは、アンカー基地局から他の基地局、すなわち、アクティブ非アンカー基地局にソフトハンドオーバーを遂行しなければならないか否かを検査する。上記検査の結果、上記ソフトハンドオーバーを遂行すべき必要がないと、ＭＳは、ステップＳ１１１５へ進行する。Ｓ１１１５で、ＭＳは、上記ソフトハンドオーバーを遂行する必要がないので、一般的なＭＡＰメッセージ、すなわち、従来のＩＥＥＥ８０２．１６ｅ通信システムに使用されたＭＡＰメッセージを復調して復号することによって、ＤＬ−ＭＡＰ ＩＥ及びＵＬ−ＭＡＰ ＩＥを検出する。ステップＳ１１１７で、ＭＳは、アンカー基地局から検出されたＤＬ−ＭＡＰ ＩＥ及びＵＬ−ＭＡＰ ＩＥに対応してデータバーストを送受信した後に、上記ソフトハンドオーバーを遂行する動作を終了する。
【００３５】
一方、ステップＳ１１１３で、上記検査の結果、上記ソフトハンドオーバーを遂行すべき必要があると、ＭＳは、ステップＳ１１１９へ進行して、上記ソフトハンドオーバーを遂行すべきであるので、ＭＡＰメッセージを復調して復号して、ＤＬ−ＭＡＰ ＩＥと、ＵＬ−ＭＡＰ ＩＥと、ＨＯ ＤＬ ＭＡＰ ＩＥ ｉｎ Ｎｏｎ−Ａｎｃｈｏｒ ＢＳと、ＨＯ ＵＬ ＭＡＰ ＩＥ ｉｎ Ｎｏｎ−Ａｎｃｈｏｒ ＢＳとを検出する。ステップＳ１１２１で、ＭＳは、上記検出されたＨＯ ＤＬ ＭＡＰ ＩＥ ｉｎ Ｎｏｎ−Ａｎｃｈｏｒ ＢＳ及びＨＯ ＵＬ ＭＡＰ ＩＥ ｉｎ Ｎｏｎ−Ａｎｃｈｏｒ ＢＳに含まれているＮｏｎ−Ａｎｃｈｏｒ Ｐｒｅａｍｂｌｅ及びＡｎｃｈｏｒ ＣＩＤを検出する。ここで、上記Ｎｏｎ−Ａｎｃｈｏｒ Ｐｒｅａｍｂｌｅ及びＡｎｃｈｏｒ ＣＩＤを検出する理由は、上述したように、ＭＳが上記アクティブ非アンカー基地局と送受信されるデータバーストを正常に識別するためである。
ステップＳ１１２３で、ＭＳは、上記検出されたＤＬ−ＭＡＰ ＩＥと、ＵＬ−ＭＡＰ ＩＥと、ＨＯ ＤＬ ＭＡＰ ＩＥ ｉｎ Ｎｏｎ−Ａｎｃｈｏｒ ＢＳと、ＨＯ ＵＬ ＭＡＰ ＩＥ ｉｎ Ｎｏｎ−Ａｎｃｈｏｒ ＢＳに対応して、上記アンカー基地局及びアクティブ非アンカー基地局とデータバーストを送受信した後に、上記ソフトハンドオーバーを遂行する動作を終了する。
【００３６】
図１２は、本発明の実施形態によるアクティブ非アンカー基地局からチャンネル割当て情報を受信して、ソフトハンドオーバーを遂行するＭＳの動作を示すフローチャートである。
図１２を参照すると、まず、ＭＳは、ステップＳ１２１１で、アクティブ非アンカー基地局からプリアンブルシーケンスを検出して、上記アクティブ非アンカー基地局と同期を獲得する。ステップＳ１２１３で、ＭＳは、現在ソフトハンドオーバー動作を遂行しているか否かを検査する。上記検査の結果、上記ソフトハンドオーバーを遂行している場合に、ＭＳは、ステップＳ１２１５で、、ＭＡＰメッセージを復調して復号して、ＨＯ ＣＩＤ Ｔｒａｎｓｌａｔｉｏｎ ＭＡＰ ＩＥと、ＤＬ−ＭＡＰ ＩＥと、ＵＬ−ＭＡＰ ＩＥと、ＨＯ Ａｎｃｈｏｒ Ａｃｔｉｖｅ ＤＬ ＭＡＰ ＩＥと、ＨＯ Ａｎｃｈｏｒ Ａｃｔｉｖｅ ＵＬ ＭＡＰ ＩＥとを検出する。ステップＳ１２１７で、ＭＳは、上記検出されたＨＯ Ａｎｃｈｏｒ Ａｃｔｉｖｅ ＤＬ ＭＡＰ ＩＥ及びＨＯ Ａｎｃｈｏｒ Ａｃｔｉｖｅ ＵＬ ＭＡＰ ＩＥに含まれている‘Ａｎｃｈｏｒ Ｐｒｅａｍｂｌｅ’及び‘Ａｎｃｈｏｒ ＣＩＤ’を検出する。ここで、上記Ａｎｃｈｏｒ Ｐｒｅａｍｂｌｅ及びＡｎｃｈｏｒ ＣＩＤを検出する理由は、上述したように、ＭＳが上記アンカー基地局と送受信されるデータバーストを正常に識別するためである。しかしながら、上記ＣＩＤが基地局別に固有に割り当てられるので、上記アクティブ非アンカー基地局が上記アンカー基地局で使用されているＡｎｃｈｏｒ ＣＩＤと同一のＣＩＤを使用する場合に、ＭＳは、上記アンカー基地局とデータバーストを正常に送受信することが不可能となる。
【００３７】
従って、ステップＳ１２１９で、ＭＳは、上記検出されたＨＯ ＣＩＤ Ｔｒａｎｓｌａｔｉｏｎ ＭＡＰ ＩＥに基づいて、Ｎｏｎ−Ａｎｃｈｏｒ ＣＩＤを検出する。結果的に、ＭＳは、上記アンカー基地局から上記Ｎｏｎ−Ａｎｃｈｏｒ ＣＩＤを検出することによって、上記Ｎｏｎ−Ａｎｃｈｏｒ ＣＩＤに相応するＡｎｃｈｏｒ ＣＩＤを有するデータバーストを送受信することができる。ステップＳ１２２１で、ＭＳは、上記検出されたＨＯ ＣＩＤ Ｔｒａｎｓｌａｔｉｏｎ ＭＡＰ ＩＥと、ＤＬ−ＭＡＰ ＩＥと、ＵＬ−ＭＡＰ ＩＥと、ＨＯ Ａｎｃｈｏｒ Ａｃｔｉｖｅ ＤＬ ＭＡＰ ＩＥと、ＨＯ Ａｎｃｈｏｒ Ａｃｔｉｖｅ ＵＬ ＭＡＰ ＩＥに対応して、上記アンカー基地局及びアクティブ非アンカー基地局とデータバーストを送受信した後に、上記ソフトハンドオーバーを遂行する動作を終了する。
【００３８】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００３９】
【図１】本発明の実施形態によるＩＥＥＥ８０２．１６ｅ基盤通信システムの構成を概略的に示すブロック図である。
【図２】本発明の実施形態によるＩＥＥＥ８０２．１６ｅ基盤通信システムにおけるセクター構成を概略的に示すブロック図である。
【図３】本発明の実施形態によるＩＥＥＥ８０２．１６ｅ通信システムのフレーム構成を概略的に示すブロック図である。
【図４】本発明の実施形態によるＤＬ−ＭＡＰメッセージのフォーマットを概略的に示す図である。
【図５】本発明の実施形態によるＵＬ−ＭＡＰメッセージのフォーマットを概略的に示す図である。
【図６】本発明の実施形態によるＨＯ Ａｎｃｈｏｒ Ａｃｔｉｖｅ ＤＬ ＭＡＰ ＩＥのフォーマットを概略的に示す図である。
【図７】本発明の実施形態による非アンカーＢＳのＨＯ ＤＬ ＭＡＰ ＩＥのフォーマットを概略的に示す図である。
【図８】本発明の実施形態によるＨＯ ＣＩＤ Ｔｒａｎｓｌａｔｉｏｎ ＭＡＰ ＩＥのフォーマットを概略的に示す図である。
【図９】本発明の実施形態によるＨＯ Ａｎｃｈｏｒ Ａｃｔｉｖｅ ＵＬ ＭＡＰ ＩＥのフォーマットを概略的に示す図である。
【図１０】本発明の実施形態による非アンカーＢＳのＨＯ ＵＬ ＭＡＰ ＩＥのフォーマットを概略的に示す図である。
【図１１】本発明の実施形態によるアンカー基地局からチャンネル割当て情報を受信してソフトハンドオーバーを遂行するＭＳの動作を示すフローチャートである。
【図１２】本発明の実施形態によるアクティブ非アンカー基地局からチャンネル割当て情報を受信してソフトハンドオーバーを遂行するＭＳの動作を示すフローチャートである。
【符号の説明】
【００４０】
１１０，１５０  セル
１１０，１４０  基地局
１１１，１１３，１３０，１５１，１５３  移動端末機（ＭＳ）
２００  基地局
２１０  第１のセクター
２２０  第２のセクター
２３０  第３のセクター
３１０  ダウンリンク（ＤＬ）フレーム
３１２  プリアンブル領域
３１４  ダウンリンクマップ（ＤＬ−ＭＡＰ）／アップリンクマップ（ＵＬ−ＭＡＰ）領域
３１６  部分サブチャンネル使用（ＰＵＳＣ）領域
３１８  全体サブチャンネル使用（ＦＵＳＣ）領域
３２０  アップリンク（ＵＬ）フレーム
３２２  ＰＵＳＣ領域
【図１】
2008500767.tif 000003
【図２】
2008500767.tif 000004
【図３】
2008500767.tif 000005
【図４】
2008500767.tif 000006
【図５】
2008500767.tif 000007
【図６】
2008500767.tif 000008
【図７】
2008500767.tif 000009
【図８】
2008500767.tif 000010
【図９】
2008500767.tif 000011
【図１０】
2008500767.tif 000012
【図１１】
2008500767.tif 000013
【図１２】
2008500767.tif 000014
【国際調査報告】
2008500767.tif 000015
2008500767.tif 000016